(57)【要約】【課題】  レンズ光学系等の設計変更を不要とすることができて透過特性の帯域幅を容易に設計変更することができる光信号処理器製造方法を提供する。【解決手段】  光信号処理器１は、光ファイバ１０、第１レンズ光学系２０、回折格子素子３０、第２レンズ光学系４０および反射鏡５１〜５５を備えている。光ファイバ１０の端面から出射され反射鏡５１〜５５の何れかにより反射されて再び光ファイバ１０の端面に入射する迄の光の透過特性の帯域幅が所望の量になるよう、所定のモードフィールド径を有する光ファイバ１０を選択し、この選択した光ファイバ１０を用いて光信号処理器１を製造する。【選択図】  図１
2005156583.tif 000002
【特許請求の範囲】
【請求項１】
入力光導波路から出力光導波路へ到る光路上に設けられ光を空間的に波長分岐する空間的波長分岐素子と、前記空間的波長分岐素子により波長分岐される各波長の光を空間的に変調する空間的光変調素子と、前記入力光導波路の端面から出力される光を平行光として前記空間的波長分岐素子へ入射させる第１レンズ光学系と、前記空間的波長分岐素子により波長分岐された各波長の光を集光して前記空間的光変調素子へ入射させる第２レンズ光学系と、を備える光信号処理器を製造する方法であって、
前記入力光導波路から前記出力光導波路へ到る光の透過特性の帯域幅を所望の量にすることができるモードフィールド径を有する前記入力光導波路および前記出力光導波路を選択し、この選択した前記入力光導波路および前記出力光導波路を用いて前記光信号処理器を製造する、
ことを特徴とする光信号処理器製造方法。
【請求項２】
前記空間的波長分岐素子として回折格子素子を用いて前記光信号処理器を製造することを特徴とする請求項１記載の光信号処理器製造方法。
【請求項３】
前記空間的光変調素子として反射鏡を用いて前記光信号処理器を製造することを特徴とする請求項１記載の光信号処理器製造方法。
【請求項４】
前記反射鏡として当該反射面が傾斜自在または湾曲自在であるものを用いて前記光信号処理器を製造することを特徴とする請求項３記載の光信号処理器製造方法。
【請求項５】
開口数０.１２以上の前記入力光導波路の端面から出射される光を受光することができる前記第１レンズ光学系を用いて前記光信号処理器を製造することを特徴とする請求項１記載の光信号処理器製造方法。
【請求項６】
開口数０.３以上の前記入力光導波路の端面から出射される光を受光することができる前記第１レンズ光学系を用いて前記光信号処理器を製造することを特徴とする請求項１記載の光信号処理器製造方法。
【請求項７】
開口数０.４以上の前記入力光導波路の端面から出射される光を受光することができる前記第１レンズ光学系を用いて前記光信号処理器を製造することを特徴とする請求項１記載の光信号処理器製造方法。
【請求項８】
前記第１レンズ光学系の焦点距離をｆ１とし、前記第２レンズ光学系の焦点距離をｆ２とし、前記空間的波長分岐素子から前記空間的光変調素子である１つの反射鏡の反射面に主光線が到達する光の波長範囲をλωとし、前記空間的波長分岐素子による波長分岐の方向についての前記反射面の幅をΔＬとし、前記入力光導波路から前記出力光導波路へ到る光の透過特性の帯域幅をΔλとし、前記入力光導波路のモードフィールド径をωとしたときに、「(ｆ２／ｆ１)ω／ΔＬ≦(λω−Δλ)／λω」なる関係式を満たすよう前記入力光導波路および前記出力光導波路を選択して、前記光信号処理器を製造することを特徴とする請求項１記載の光信号処理器製造方法。
【請求項９】
前記入力光導波路および前記出力光導波路それぞれを調芯して取り付けて前記光信号処理器を製造することを特徴とする請求項１記載の光信号処理器製造方法。
【請求項１０】
前記光信号処理器として分散調整機能を有するものを製造することを特徴とする請求項１記載の光信号処理器製造方法。
【請求項１１】
前記光信号処理器として光合分波機能を有するものを製造することを特徴とする請求項１記載の光信号処理器製造方法。
【請求項１２】
選択した前記入力光導波路および前記出力光導波路を用いて前記光信号処理器を製造した後に、前記入力光導波路および前記出力光導波路を取り外す、ことを特徴とする請求項１記載の光信号処理器製造方法。
【発明の詳細な説明】
【技術分野】
【０００１】
本発明は、入力光導波路の端面から出射された光を波長分岐し処理して出力光導波路の端面に入射させる光信号処理器を製造する方法に関するものである。
【背景技術】
【０００２】
一般に光通信分野で用いられる多くの光信号処理器は、光ファイバの端面から出射した光を入力し、その入力した光に対して何らかの処理を施して、その光を他の光ファイバの端面に入射させる。特に波長分割多重（ＷＤＭ: Wavelength Division Multiplexing）光通信で用いられる光信号処理器は、入力した光を空間的に波長分岐する回折格子素子を備えることにより、各波長の信号光に対して処理を施すことができる。
【０００３】
例えば非特許文献１に記載された光信号処理器は、ＷＤＭ光通信システムにおいて光合分波器として用いられるものである。この光信号処理器は、光ファイバ端面から出射した光を入力してレンズ光学系によりコリメートし、回折格子素子により波長に応じた回折角で光を回折させ、その回折した各波長の光をレンズ光学系で集光して反射鏡で反射させる。さらに、その反射させた各波長の光を回折格子素子により合波して、その合波した光を他の光ファイバ端面に入射させる。そして、各波長に対応して設けられている反射鏡の傾斜を調整することで、各波長の信号光の入出射端を選択することができる。
【非特許文献１】D. M. Marom, et al., "Wavelength-selective 1x4 switch for 128 WDM channels at 50 GHz spacing", OFC2002 Postdeadline Papers, FB7 (2002)
【発明の開示】
【発明が解決しようとする課題】
【０００４】
光を強度変調して信号光を発生させる際に、該信号光の波長が変動する場合がある。したがって、光伝送路上で用いられる光フィルタ等は、各信号光の波長が変動しても所期の特性を有するように帯域が広いことが望まれる。一方、ＷＤＭ光通信では、隣接する波長の信号光を完全に分離することができないとクロストークが生じて伝送品質が劣化するので、使用する光伝送路毎に光フィルタ等の帯域幅が最適な条件で設定されることが必要である。したがって、上記のような光信号処理器の場合、回折格子素子により波長分岐される各波長の信号光についての帯域幅は、使用される光伝送路の特性等に合わせて設定されることが必要である。
【０００５】
上記非特許文献１に記載された光信号処理器では、各レンズ光学系の焦点距離によって反射鏡での光ビーム径が決定され、これによって、入力光ファイバから出力光ファイバへ到る光の透過特性の帯域幅が決定される。したがって、この透過特性の帯域幅を変更するには、各レンズ光学系の焦点距離を変更することが必要であり、使用する光伝送路毎に全体の光学系を改めて設計し直す必要が生じる。
【０００６】
本発明は、上記問題点を解消する為になされたものであり、レンズ光学系等の設計変更を不要とすることができて透過特性の帯域幅を容易に設定変更することができる光信号処理器製造方法を提供することを目的とする。
【課題を解決するための手段】
【０００７】
本発明は、光信号処理器を製造する方法に係るものである。この光信号処理器は、入力光導波路から出力光導波路へ到る光路上に設けられ光を空間的に波長分岐する空間的波長分岐素子と、空間的波長分岐素子により波長分岐される各波長の光を空間的に変調する空間的光変調素子と、入力光導波路の端面から出力される光を平行光として空間的波長分岐素子へ入射させる第１レンズ光学系と、空間的波長分岐素子により波長分岐された各波長の光を集光して空間的光変調素子へ入射させる第２レンズ光学系とを備える。なお、ここで言う「光を空間的に変調する」とは、空間を伝搬する光に、その位置に応じた強度，位相および伝搬方向などに変化を与えることを意味する。
【０００８】
そして、本発明に係る光信号処理器製造方法は、入力光導波路から出力光導波路へ到る光の透過特性の帯域幅を所望の量にすることができるモードフィールド径を有する入力光導波路および出力光導波路を選択し、この選択した入力光導波路および出力光導波路を用いて光信号処理器を製造することを特徴とする。
【０００９】
このように、本発明によれば、所定のモードフィールド径を有する入力光導波路および出力光導波路を選択して、これを用いて光信号処理器を製造することにより、光信号処理器の全体の透過特性の帯域幅を所望の量にすることができる。また、レンズ光学系等の設計変更を不要とすることができて、透過特性の帯域幅を容易に設計変更することができる。なお、入力光導波路および出力光導波路は、別個であってもよく、共通であってもよい。また、入力光導波路および出力光導波路それぞれは、１つでもよく、複数でもよい。入力光導波路と出力光導波路とが異なる場合には、出力光導波路は第１レンズ光学系を通過して出射される光を充分に伝送できるような構造と光学特性を有するものであればよい。
【００１０】
ここで、空間的波長分岐素子として回折格子素子を用いて光信号処理器を製造するのが好適であり、空間的光変調素子として反射鏡を用いて光信号処理器を製造するのが好適であり、また、反射鏡として当該反射面が傾斜自在または湾曲自在であるものを用いて光信号処理器を製造するのも好適である。
【００１１】
本発明に係る光信号処理器製造方法は、開口数０.１２以上（より好適には開口数０.３以上）の入力光導波路の端面から出射される光を受光することができる第１レンズ光学系を用いて光信号処理器を製造するのが好適であり、また、開口数０.４以上の入力光導波路の端面から出射される光を受光することができる第１レンズ光学系を用いて光信号処理器を製造するのが更に好適である。一般に、光導波路のモードフィールド径が異なると、光導波路の端面から出射される光の開口数も異なるので、光導波路の開口数に合わせて、光導波路の端面から出射される光を受光することができる第１レンズ光学系を用いることにより、挿入損失が小さい光信号処理器を製造することができる。
【００１２】
本発明に係る光信号処理器製造方法では、第１レンズ光学系の焦点距離をｆ１とし、第２レンズ光学系の焦点距離をｆ２とし、空間的波長分岐素子から空間的光変調素子である１つの反射鏡の反射面に主光線が到達する光の波長範囲をλωとし、空間的波長分岐素子による波長分岐の方向についての反射面の幅をΔＬとし、入力光導波路から出力光導波路へ到る光の透過特性の帯域幅をΔλとし、入力光導波路のモードフィールド径をωとしたときに、「(ｆ２／ｆ１)ω／ΔＬ≦(λω−Δλ)／λω」なる関係式を満たすよう入力光導波路および出力光導波路を選択して、光信号処理器を製造するのが好適である。
【００１３】
本発明に係る光信号処理器製造方法は、入力光導波路および出力光導波路それぞれを調芯して取り付けて光信号処理器を製造するのが好適であり、このようにすることにより、挿入損失が小さい光信号処理器を製造することができる。
【００１４】
本発明に係る光信号処理器製造方法は、光信号処理器として分散調整機能を有するものを製造するのが好適であり、また、光信号処理器として光合分波機能を有するものを製造するのが好適である。
【００１５】
また、本発明に係る光信号処理器製造方法は、選択した入力光導波路および出力光導波路を用いて光信号処理器を製造した後に、その入力光導波路および出力光導波路を取り外すのも好適である。この場合には、初めに、所定のモードフィールド径を有する入力光導波路および出力光導波路を選択して、これを用いて光信号処理器を製造することにより、光信号処理器の全体の透過特性の帯域幅を所望の量にすることができる。そして、その後に、その入力光導波路および出力光導波路を取り外しておくことで、次の仕様が決定されると直ちに新たな入力光導波路および出力光導波路を選択して取り付けることができる。
【発明の効果】
【００１６】
本発明に係る光信号処理器製造方法によれば、各信号光の透過帯域幅が変動してもレンズ光学系等の設計変更を不要とすることができ、透過特性の帯域幅を容易に設定変更することができる。
【発明を実施するための最良の形態】
【００１７】
以下、添付図面を参照して、本発明を実施するための最良の形態を詳細に説明する。なお、図面の説明において同一の要素には同一の符号を付し、重複する説明を省略する。
【００１８】
図１は、光信号処理器１の構成図である。この図に示される光信号処理器１は、光ファイバ１０、第１レンズ光学系２０、回折格子素子３０、第２レンズ光学系４０および反射鏡５１〜５５を備えている。光ファイバ１０は、入力光導波路および出力光導波路の双方として用いられる。この光信号処理器１は、光ファイバ１０の端面から出射された光を波長分岐し処理して光ファイバ１０の端面に入射させる。
【００１９】
この図１（および、後に示される図５，図６）において、説明の便宜の為に、ｘｙｚ直交座標系およびｘｙ'ｚ'直交座標系が示されている。ｘｙｚ直交座標系は、光ファイバ１０と回折格子素子３０との間に適用される。ｘｙ'ｚ'直交座標系は、回折格子素子３０と反射鏡５１〜５５との間に適用される。ｘｙｚ直交座標系のｘ軸とｘｙ'ｚ'直交座標系のｘ軸とは互いに平行である。レンズ光学系２０の光軸はｚ軸に平行である。また、レンズ光学系４０の光軸はｚ'軸に平行である。
【００２０】
レンズ光学系２０は、光ファイバ１０の端面から出射された光を平行光とし、その光を回折格子素子３０へ向けてｚ軸に平行に出力する。空間的波長分岐素子としての回折格子素子３０は、ｘ軸方向に延びる格子が一定間隔で配列されてなる回折格子が透明平板の一方の面に形成された透過型のものである。この回折格子素子３０は、レンズ光学系２０から到達した平行光を入力し、波長に応じた回折角で各波長の光を回折させことで光を空間的に波長分岐し、その回折した各波長の光をｙ'ｚ'平面に平行に出力する。ここでは、回折格子素子３０は、５波長λ１〜λ５それぞれの光に波長分岐するものとする。
【００２１】
レンズ光学系４０は、回折格子素子３０により回折されて出力された５波長λ１〜λ５それぞれの光を入力して、波長λ１の光を反射鏡５１の反射面上に集光し、波長λ２の光を反射鏡５２の反射面上に集光し、波長λ３の光を反射鏡５３の反射面上に集光し、波長λ４の光を反射鏡５４の反射面上に集光し、また、波長λ５の光を反射鏡５５の反射面上に集光する。
【００２２】
反射鏡５１〜５５それぞれは、レンズ光学系４０により集光される光の集光点の位置に、ｙ'軸に平行な方向に並んで設けられている。反射鏡５１〜５５それぞれは、ｘ軸方向に見たときに反射面の湾曲や傾斜が自在であるのが好適である。このような反射鏡５１〜５５は、ＭＥＭＳ（Micro Electro Mechanical Systems）技術により製造され得る。
【００２３】
反射鏡５１は、レンズ光学系４０から出力された波長λ１の光をレンズ光学系４０へ反射させる。反射鏡５２は、レンズ光学系４０から出力された波長λ２の光をレンズ光学系４０へ反射させる。反射鏡５３は、レンズ光学系４０から出力された波長λ３の光をレンズ光学系４０へ反射させる。反射鏡５４は、レンズ光学系４０から出力された波長λ４の光をレンズ光学系４０へ反射させる。また、反射鏡５５は、レンズ光学系４０から出力された波長λ５の光をレンズ光学系４０へ反射させる。これらの各波長の反射光もｙ'ｚ'平面に平行に進む。
【００２４】
そして、レンズ光学系４０は、反射鏡５１〜５５により反射された波長λ１〜λ５の光を入力して平行光とし、この平行光を回折格子素子３０へ出力する。回折格子素子３０は、レンズ光学系４０により平行光とされた波長λ１〜λ５の光を合波して、その合波した光をレンズ光学系２０へ出力する。レンズ光学系２０は、回折格子素子３０により合波されて出力された光を光ファイバ１０の端面に集光し、その光を光ファイバ１０に入射させる。
【００２５】
この光信号処理器１は以下のように動作する。５波長λ１〜λ５の多重化された光が光ファイバ１０の端面から出射されると、その出射された発散光はレンズ光学系２０により平行光とされて、その平行光が回折格子素子３０に入力する。レンズ光学系２０から回折格子素子３０に入力した光は、波長に応じた回折角で回折されて波長分岐される。
【００２６】
回折格子素子３０により回折された波長λ１の光は、レンズ光学系４０により反射鏡５１の反射面上に集光され、この反射鏡５１により反射され、レンズ光学系４０により再び平行光とされて、回折格子素子３０に入力する。回折格子素子３０により回折された波長λ２の光は、レンズ光学系４０により反射鏡５２の反射面上に集光され、この反射鏡５２により反射され、レンズ光学系４０により再び平行光とされて、回折格子素子３０に入力する。回折格子素子３０により回折された波長λ３の光は、レンズ光学系４０により反射鏡５３の反射面上に集光され、この反射鏡５３により反射され、レンズ光学系４０により再び平行光とされて、回折格子素子３０に入力する。回折格子素子３０により回折された波長λ４の光は、レンズ光学系４０により反射鏡５４の反射面上に集光され、この反射鏡５４により反射され、レンズ光学系４０により再び平行光とされて、回折格子素子３０に入力する。回折格子素子３０により回折された波長λ５の光は、レンズ光学系４０により反射鏡５５の反射面上に集光され、この反射鏡５５により反射され、レンズ光学系４０により再び平行光とされて、回折格子素子３０に入力する。
【００２７】
レンズ光学系４０から回折格子素子３０に入力した５波長λ１〜λ５の光は、波長に応じた回折角で回折されて、これにより合波される。そして、回折格子素子３０により合波された光は、レンズ光学系２０により集光されて光ファイバ１０の端面に入射する。
【００２８】
このような光信号処理器１において、光がレンズ光学系４０により波長分岐されて反射鏡５１〜５５により反射されレンズ光学系４０により再び合波される迄の光路上に、各波長の光を空間的に変調する空間的光変調素子を設けておくことにより、波長毎に光を処理することができる。なお、空間的光変調素子として、レンズ光学系４０または反射鏡５１〜５５が用いられてもよいし、これらとは別の光学素子が挿入されてもよい。
【００２９】
各構成要素の具体的な例としては以下のとおりである。レンズ光学系２０の焦点距離ｆ１は６０ｍｍであり、レンズ光学系４０の焦点距離ｆ２は１００ｍｍである。回折格子素子３０における波長１５５０ｎｍ付近での回折角差は約０.０９deg／ｎｍである。反射鏡５１〜５５それぞれの反射面上の集光点を結ぶ線上において、波長差１ｎｍの２波長の光の集光位置の間隔は約０.１５７ｍｍ（＝ｆ２tan(0.09deg)）である。波長λ１〜λ５の光周波数間隔が１００ＧＨｚ（波長間隔が０.８ｎｍ）であるとすると、反射鏡５１〜５５の中心間距離は０.１２６ｍｍであり、反射鏡５１〜５５それぞれの反射面のｙ'軸方向の幅ΔＬは０.１２０ｍｍである。
【００３０】
本実施形態に係る光信号処理器製造方法では、以上に説明したような光信号処理器１を以下のようにして製造する。すなわち、光信号処理器１の全体の透過特性（光ファイバ１０から出射され反射鏡５１〜５５の何れかにより反射されて再び光ファイバ１０に入射する迄の光の透過特性）の帯域幅を所望の量にすることができるモードフィールド径を有する光ファイバ１０を選択し、この選択した光ファイバ１０を用いて光信号処理器１を製造する。
【００３１】
このように、所定のモードフィールド径を有する光ファイバ１０を選択して、これを用いて光信号処理器１を製造することにより、光信号処理器１の全体の透過特性の帯域幅を所望の量にすることができる。また、レンズ光学系２０から反射鏡５１〜５５へ到る迄の間の光学系の設計変更を不要とすることができて、光信号処理器１の全体の透過特性の帯域幅を容易に設定変更することができる。この製造方法について以下に更に詳細に説明する。
【００３２】
図２は、光信号処理器１において光ファイバ１０から出射され反射鏡５１〜５５の何れかにより反射されて再び光ファイバ１０に入射する迄の光の透過特性を示す図である。この図に示されるような透過特性は以下のようにして求められる。すなわち、ＭＥＭＳ技術により製造された反射鏡５１〜５５を用い、これらのうちの何れか１つの反射鏡Ａの反射面をｚ'軸方向に直角になるようにし、残りの４つの反射鏡の反射面をずらしておいて、光ファイバ１０から白色光を出射させ、反射鏡Ａにより反射された光のみが光ファイバ１０に戻るようにすることで、透過特性を求めることができる。
【００３３】
図２において、透過特性が略平坦となる波長範囲の帯域幅をΔλで表している。光ファイバ１０のモードフィールド径が０.０１５ｍｍであると、透過特性の帯域幅Δλは約０.６ｎｍである。また、光ファイバ１０のモードフィールド径が０.００５ｍｍであると、透過特性の帯域幅Δλは約０.７ｎｍである。
【００３４】
図３は、光信号処理器１に含まれる反射鏡５１〜５５の何れか１つの反射鏡への光入射の様子を示す図である。１つの反射鏡の反射面に全エネルギが到達し得る光の波長範囲をλａ〜λｂとすると、透過特性の帯域幅Δλは下記(1)式で表される。
【００３５】
Δλ＝λａ−λｂ    …(1)
光ファイバ１０のモードフィールド径をωとすると、通常の幾何光学の理論から、反射鏡の反射面における集光径は (ｆ２／ｆ１)ω と表される。また、ｙ'軸方向についての反射鏡の反射面の幅をΔＬとし、１つの反射鏡の反射面に主光線が到達する光の波長範囲をλωとする。狭い波長範囲では、反射鏡の反射面における集光位置と波長との間の関係は略線形であるから、上記の各パラメータの間には下記(2)式で表される関係がある。
【００３６】
(ｆ２／ｆ１)ω／ΔＬ＝(λω−Δλ)／λω    …(2)
なお、１つの反射鏡における反射による透過特性が平坦である帯域幅Δλは、光ビームの断面形状や実際の光学系によっては、上記(2)式により算出される値より小さくなる場合がある。したがって、使用する光ファイバ１０のモードフィールド径ωを決定するには、先ず上記(2)式によりωの値を求め、そのωの値と実際の光学系のパラメータとを用いて、ビーム伝播解析などにより透過特性を計算し、その計算された透過特性が所望のものとなるよう、ωの値を調整することが望ましい。それ故、一般には下記(3)式で表される関係を満たす光ファイバ１０を選択し、この選択した光ファイバ１０を用いて光信号処理器１を製造する。
【００３７】
(ｆ２／ｆ１)ω／ΔＬ≦(λω−Δλ)／λω    …(3)
また、一般に、光ファイバのモードフィールド径が異なると、光ファイバの端面から出射される光の開口数も異なる。したがって、図１に示される光信号処理器１において、開口数が大きい光ファイバ１０が用いられた場合にも、レンズ光学系２０は、該光ファイバ１０の端面から出射される光を受光できることが好ましい。このように、光ファイバ１０の開口数に合わせて、光ファイバ１０の端面から出射される光を受光することができる第１レンズ光学系２０を用いることにより、挿入損失が小さい光信号処理器１を製造することができる。
【００３８】
一般に光伝送路として用いられる標準的なシングルモード光ファイバの開口数は約０.１２であるので、開口数０.１２以上の光ファイバ１０の端面から出射される光を受光することができるレンズ光学系２０を用いるのが好ましい。また、開口数が０.３程度の光ファイバは容易に製造され得るので、開口数０.３以上の光ファイバ１０の端面から出射される光を受光することができるレンズ光学系２０を用いるのが更に好ましい。また、より厳しい特性要求を満たすためには、開口数０.４以上の光ファイバ１０の端面から出射される光を受光することができるレンズ光学系２０を用いるのが好ましい。
【００３９】
また、光ファイバ１０は、伝送路として用いられる光ファイバとの接合ロスが高くならないよう設定されることが好ましい。あるいは、このようにして光信号処理器を製造した後、あらためて、伝送路に用いられる光ファイバに合わせて選択した他の光ファイバまたは光導波路と光ファイバ１０を交換してもよい。
【００４０】
図４は、光信号処理器１における光ファイバ１０の取り付け機構を説明する図である。この図に示されるように、光ファイバ１０の先端を含む一定長さの部分は、中空構造のフェルール６１の内部に挿入されており、光ファイバ１０の先端は、フェルール６１の先端部分に達している。このフェルール６１の先端は半球形状とされている。
【００４１】
円環状部材６２は、その中央に円形の開口６２Ａを有している。開口６２Ａは、フェルール６１の外径より幾らか小さい内径を有している。円筒状部材６３は、中空構造のものであって、その内部にレンズ光学系２０が収納され固定されている。ねじ６４により、円筒状部材６３の一方の端部に円環状部材６２が固定される。
【００４２】
フェルール６１の先端の半球形状部分を円環状部材６２の開口６２Ａに押し当てて、光ファイバ１０から出射されて再び光ファイバ１０に戻ってくる光の透過率をモニタしながら、フェルール６１を調芯する。この調芯に際しては、フェルール６１を３軸それぞれの方向に平行移動させるとともに、フェルール６１の方位を調整する。そして、フェルール６１の最適な位置が得られたら、フェルール６１と円環状部材６２とを接着剤や溶接により固定する。
【００４３】
この例では、円環状部材６２と円筒状部材６３とはねじ止めされるので、両者は取り外しが可能である。したがって、光ファイバ１０が挿入されたフェルール６１を円環状部材６２に固定したとしても、これらを円筒状部材６３から取り外せば、新たな光ファイバ，フェルールおよび円環状部材を光信号処理器に取り付けることができる。
【００４４】
このように、光信号処理器に対する要求仕様が変更されたとしても、レンズ光学系２０、回折格子素子３０、レンズ光学系４０および反射鏡５１〜５５を従前のまま使用して、光ファイバ１０のみを交換することで、新たな要求仕様に容易に対応することができる。
【００４５】
図５は、分散調整機能を有する光信号処理器１Ａの構成図である。この図に示される光信号処理器１Ａは、図１に示された構成と比較すると、反射鏡５１〜５５それぞれの反射面が湾曲自在である点で相違する。すなわち、反射鏡５１〜５５それぞれは、個々に、ｘ軸方向に見たときに反射面の湾曲が自在である。各反射鏡の反射面の曲率を調整することで、各反射鏡により反射される際に光の波長分散を調整することができ、しかも、その調整量を可変とすることができる。
【００４６】
図６は、光合分波機能を有する光信号処理器１Ｂの構成図である。同図（ａ）は、ｘ軸方向に光信号処理器１Ｂを見た図であり、同図（ｂ）は、ｙ軸（ｙ'軸）方向に光信号処理器１Ｂを見た図である。この図に示される光信号処理器１Ｂは、図１に示された構成と比較すると、光ファイバ１０に替えて４本の光ファイバ１１〜１４を備える点、レンズ光学系２０に替えて４つのレンズ光学系２１〜２４を備える点、および、反射鏡５１〜５５それぞれの反射面が傾斜自在である点、で相違する。
【００４７】
光ファイバ１１〜１４は、ｘｚ平面に平行な１つの面上に配列されており、各々の光軸が平行である。レンズ光学系２１〜２４も、ｘｚ平面に平行な１つの面上に配列されており、各々の光軸が平行である。
【００４８】
レンズ光学系２１は、光ファイバ１１の端面から出射される光をコリメートすることができ、回折格子素子３０から到達する光を光ファイバ１１の端面に集光することができる。レンズ光学系２２は、光ファイバ１２の端面から出射される光をコリメートすることができ、回折格子素子３０から到達する光を光ファイバ１２の端面に集光することができる。レンズ光学系２３は、光ファイバ１３の端面から出射される光をコリメートすることができ、回折格子素子３０から到達する光を光ファイバ１３の端面に集光することができる。また、レンズ光学系２４は、光ファイバ１４の端面から出射される光をコリメートすることができ、回折格子素子３０から到達する光を光ファイバ１４の端面に集光することができる。
【００４９】
反射鏡５１〜５５それぞれは、個々に、ｙ'軸方向に見たときに反射面の傾斜が自在である。各反射鏡の反射面の傾斜を調整することで、各波長の信号光について、光ファイバ１１〜１４のうちから入力光ファイバまたは出力光ファイバを選択することができて、入出力ポートが可変の光合分波機能を有することができる。
【００５０】
本発明は、上記実施形態に限定されるものではなく、種々の変形が可能である。例えば、上記実施形態では回折格子素子３０は透過型のものであったが、反射型の回折格子素子を用いてもよい。
【図面の簡単な説明】
【００５１】
【図１】光信号処理器１の構成図である。
【図２】光信号処理器１において光ファイバ１０から出射され反射鏡５１〜５５の何れかにより反射されて再び光ファイバ１０に入射する迄の光の透過特性を示す図である。
【図３】光信号処理器１に含まれる反射鏡５１〜５５の何れか１つの反射鏡への光入射の様子を示す図である。
【図４】光信号処理器１における光ファイバ１０の取り付け機構を説明する図である。
【図５】分散調整機能を有する光信号処理器１Ａの構成図である。
【図６】光合分波機能を有する光信号処理器１Ｂの構成図である。
【符号の説明】
【００５２】
１…光信号処理器、１０〜１４…光ファイバ、２０〜２４…第１レンズ光学系、３０…回折格子素子、４０…第２レンズ光学系、５１〜５５…反射鏡、６１…フェルール、６２…円環状部材、６３…円筒状部材、６４…ねじ。
【図１】
2005156583.tif 000003
【図２】
2005156583.tif 000004
【図３】
2005156583.tif 000005
【図４】
2005156583.tif 000006
【図５】
2005156583.tif 000007
【図６】
2005156583.tif 000008